(57)【要約】【課題】  接点同士間の接触圧を調整することが容易であり、十分な接触圧を確保することができる構成とされた電磁リレーを提供する。【解決手段】  本発明に係る電磁リレー１は、対向配置されるＮＣ端子２及びＮＯ端子３と、これらの間に配置されるＣＯＭ端子４とを、電磁コイル部５が具備された端子台６に組み付けてなるものであり、この電磁リレー１における前記端子台６は、前記電磁コイル部５を具備して前記ＮＣ端子２が組み付けられるＮＣ端子側ボディ１１と、前記ＮＯ端子３及びＣＯＭ端子４が組み付けられるＣＯＭ端子側ボディ１２とに分割されており、これらのＮＣ端子側ボディ１１及びＣＯＭ端子側ボディ１２は、前記ＮＣ端子２及びＣＯＭ端子４の接点同士間の接触圧を調整後に一体化されて前記端子台６となるものであることを特徴とする。【選択図】  図１
2005142065.tif 000002
【特許請求の範囲】
【請求項１】
対向配置されるＮＣ端子及びＮＯ端子と、これらの間に配置されるＣＯＭ端子とを、電磁コイル部が具備された端子台に組み付けてなる電磁リレーであって、  前記端子台は、前記電磁コイル部を具備して前記ＮＣ端子が組み付けられるＮＣ端子側ボディと、前記ＮＯ端子及びＣＯＭ端子が組み付けられるＣＯＭ端子側ボディとに分割されており、これらのＮＣ端子側ボディ及びＣＯＭ端子側ボディは、前記ＮＣ端子及びＣＯＭ端子の接点同士間の接触圧を調整後に一体化されて前記端子台となることを特徴とする電磁リレー。
【請求項２】
前記ＮＣ端子側ボディ及びＣＯＭ端子側ボディのいずれか一方の所定位置に嵌合用凸部、その他方の前記嵌合用凸部と対向する所定位置に嵌合用凹部を形成しており、前記ＮＣ端子側ボディ及びＣＯＭ端子側ボディは、前記嵌合用凸部と嵌合用凹部とが嵌合しあうのに伴って一体化されることを特徴とする請求項１に記載の電磁リレー。    
【請求項３】
前記ＮＣ端子側ボディ及びＣＯＭ端子側ボディの対向しあう位置ごとに嵌合用凹部を形成しており、前記ＮＣ端子側ボディ及びＣＯＭ端子側ボディは、シール部材を介して前記嵌合用凹部同士が嵌合しあうのに伴って一体化されることを特徴とする請求項１に記載の電磁リレー。
【発明の詳細な説明】
【技術分野】
【０００１】
本発明は、電磁リレーに関し、さらに詳しくは、その端子台の構造に特徴を有する電磁リレーに関する。
【背景技術】
【０００２】
電磁リレー（電磁継電器）とは、電磁力によって接点を開閉する機能を有してなる機器の総称であり、有接点シーケンス制御に使用される。このような電磁リレーの例としてはヒンジ形電磁リレーがあり、図７の側断面図で示すように、電磁リレー５１は、対向配置されるＮＣ端子５２及びＮＯ端子５３と、これらの両端子５２，５３間に配置されるＣＯＭ端子５４とを、電磁コイル部５５が具備された端子台５６に組み付けることにより構成されている。
【０００３】
そして、電磁コイル部５５を具備し、固定側のＮＣ端子５２及びＮＯ端子５３と、可動側のＣＯＭ端子５４とが組み付けられる端子台５６は、図８ａの側面図及び図８ｂの下面図で示すように、樹脂等を用いることにより一体化して作製されている。このとき、ＮＣ端子５２及びＮＯ端子５３と、ＣＯＭ端子５４とは、端子台５６の下面から外向きに引き出されている。なお、図示省略するが、一体化された端子台を具備してなる電磁リレーのうちには、特許文献１や特許文献２で開示されたようなものもある。
【０００４】
電磁リレー５１においては、その電磁コイル部５５を構成する電磁コイルに電流が流れると、電磁コイル部５５の固定鉄心が電磁石となって可動鉄片５７を吸引し、かつ、リンク機構５８を介してＣＯＭ端子５４が移動させられる。そして、ＣＯＭ端子５４に連動して移動したＣＯＭ接点５９が、ＮＣ端子５２のＮＣ接点６０またはＮＯ端子５３のＮＯ接点６１のいずれか一方と接触または離間することにより回路が開閉される。また、電磁コイルに流れる電流を遮断すると、固定鉄心が電磁石ではなくなる結果、復帰バネ６２の力でもってＣＯＭ端子５４は元の位置に復帰する。
【０００５】
すなわち、一般的な電磁リレー５１における電磁コイルに対する非通電時には、ＣＯＭ接点５９がＮＣ接点６０と接触しているので、ＣＯＭ接点５９及びＮＯ接点６１間、つまり、ＣＯＭ端子５４及びＮＯ端子５３間を電流が流れることはない。一方、電磁コイルに対する通電時には、ＮＣ接点６０から離間したＣＯＭ接点５９がＮＯ接点６１と接触するので、ＣＯＭ接点５９及びＮＯ接点６１間、つまり、ＣＯＭ端子５４及びＮＯ端子５３間を電流が流れる。
【特許文献１】実開昭６２−１９８６４０号公報
【特許文献２】特開平５−２３４４８５号公報
【発明の開示】
【発明が解決しようとする課題】
【０００６】
ところで、前記従来の電磁リレー５１におけるＮＣ側の接点同士間の接触圧、つまり、ＣＯＭ接点５９とＮＣ接点６０との接触圧が不十分である場合には、ＮＣ端子５２またはＣＯＭ端子５４の少なくとも一方を屈曲して両者間の接触圧を確保することが行われる。      
【０００７】
しかしながら、可動側のＣＯＭ端子５４を屈曲する際にあっては、その屈曲先となる方向の所定位置に固定側のＮＣ端子５２が既に存在しているため、ＣＯＭ端子５４を屈曲する作業が困難となる。そして、弾性限界を超えるような変形をＣＯＭ端子５４に発生させることがあり、その結果、電磁リレー５１の不良品率が高くなってしまう。
【０００８】
また、ＮＣ端子５２を屈曲して接触圧を調整する際には、ＮＣ端子５２の屈曲に伴って接点ギャップが変化し、その結果として所定の接点ギャップを確保することができなくなる可能性がある。なお、接触圧を調整する場合にあっては、ＮＣ端子５２の長さが長いほど、調整作業が困難になることが避けられない。
【０００９】
本発明はこれらの問題点に鑑みて創案されたものであって、接点同士間の接触圧を調整することが容易であり、十分な接触圧を確保することができる構成とされた電磁リレーの提供を目的としている。
【課題を解決するための手段】
【００１０】
請求項１記載の本発明に係る電磁リレーは、対向配置されるＮＣ端子及びＮＯ端子と、これらの間に配置されるＣＯＭ端子とを、電磁コイル部が具備された端子台に組み付けて構成されたものである。そして、この電磁リレーにおける前記端子台は、前記電磁コイル部を具備して前記ＮＣ端子が組み付けられるＮＣ端子側ボディと、前記ＮＯ端子及びＣＯＭ端子が組み付けられるＣＯＭ端子側ボディとに分割されており、これらのＮＣ端子側ボディ及びＣＯＭ端子側ボディは、前記ＮＣ端子及びＣＯＭ端子の接点同士間の接触圧を調整後に一体化されて前記端子台となるものであることを特徴とする。
【００１１】
請求項２に記載の本発明に係る電磁リレーは請求項１に記載したものであって、この電磁リレーにおける前記ＮＣ端子側ボディ及びＣＯＭ端子側ボディのいずれか一方の所定位置に嵌合用凸部、その他方の前記嵌合用凸部と対向する所定位置に嵌合用凹部を形成しており、前記ＮＣ端子側ボディ及びＣＯＭ端子側ボディは、前記嵌合用凸部と嵌合用凹部とが嵌合しあうのに伴って一体化されるものであることを特徴とする。
【００１２】
請求項３に記載の本発明に係る電磁リレーは請求項１に記載したものであって、この電磁リレーにおける前記ＮＣ端子側ボディ及びＣＯＭ端子側ボディの対向しあう位置ごとに嵌合用凹部を形成しており、前記ＮＣ端子側ボディ及びＣＯＭ端子側ボディは、シール部材を介して前記嵌合用凹部同士が嵌合しあうのに伴って一体化されるものであることを特徴とする。
【発明の効果】
【００１３】
請求項１記載の電磁リレーであれば、端子台をＮＣ端子側ボディとＣＯＭ端子側ボディとに分割しておき、ＮＣ端子側ボディに組み付けられたＮＣ端子と、ＣＯＭ端子側ボディに組み付けられたＣＯＭ端子とのそれぞれを他方の影響を被らない状態下でもって各別に屈曲することが可能である。すなわち、ＮＣ端子及びＣＯＭ端子の各々を単独で屈曲させながら両端子の接点同士間における接触圧を確認する作業を繰り返すことにより、ＮＣ接点及びＣＯＭ接点間の接触圧を適切に調整することが容易となる。
【００１４】
そして、この際においては、ＮＣ端子やＣＯＭ端子に弾性限界を超えるような変形が発生したり、接点ギャップが変化したりすることを抑制可能であるため、ＮＣ接点及びＣＯＭ接点間における十分な接触圧を確保し、かつ、電磁リレーの不良品率を低下させることができる。なお、接触圧を調整した後にＮＣ端子側ボディ及びＣＯＭ端子側ボディを一体化すれば、一般的な通常通りの構成を有する電磁リレーが完成する。
【００１５】
請求項２に記載の電磁リレーであれば、ＮＣ端子側ボディ及びＣＯＭ端子側ボディの一方に嵌合用凸部、その他方に嵌合用凹部を形成しているので、ＮＣ端子側ボディ及びＣＯＭ端子側ボディを極めて容易に一体化することができる。
【００１６】
請求項３に記載した電磁リレーであれば、ＮＣ端子側ボディ及びＣＯＭ端子側ボディの双方に嵌合用凹部を形成しており、これらの嵌合用凹部同士がシール部材を介して嵌合しあう構成としているので、ＮＣ端子側ボディ及びＣＯＭ端子側ボディを容易に一体化することができる。
【発明を実施するための最良の形態】
【００１７】
接点同士間の接触圧を調整することが容易であり、かつ、十分な接触圧を確保することができる電磁リレーを提供するという目的を、極めて簡単な構成でもって実現した。
【実施例】
【００１８】
図１は本発明の実施例に係る電磁リレーの構造を示す側断面図、図２ａは本実施例に係る電磁リレーの組立途中の構造を示す上面図、図２ｂはその側断面図であり、図３ａは本実施例に係る電磁リレーが備える端子台の構造を示す上面図、図３ｂはその側断面図、図３ｃはその下面図である。そして、図４ａは本実施例に係る電磁リレーの組立時に使用される組立用治具の構造を示す上面図、図４ｂはその側面図であり、図４ｃはその端面図である。
【００１９】
また、図５ａは本発明の実施例に係る電磁リレーの組立作業の途中状態を示す上面図、図５ｂはその側断面図であり、図６ａは本実施例に係る電磁リレーの組立作業後の状態を示す上面図、図６ｂはその側断面図である。なお、これらの図における符号１は電磁リレー、符号３１は組立用治具をそれぞれ示している。
【００２０】
本実施例に係る電磁リレー１は、図１で組立後の構造を示し、かつ、図２ａ及び図２ｂで組立途中の構造を示すように、対向配置される一対のＮＣ端子２及びＮＯ端子３と、これらの間に配置されるＣＯＭ端子４との各々を、電磁コイル部５が具備された端子台６に組み付けることにより構成されている。すなわち、この電磁リレー１は組立後において従来例と同様の構造、つまり、ＮＣ端子２のＮＣ接点７とＣＯＭ端子４のＣＯＭ接点９とが互いに接触しあうヒンジ形電磁リレーであり、ＮＣ端子２及びＮＯ端子３と、ＣＯＭ端子４とは、端子台６の下面から外向きに引き出されている。
【００２１】
なお、ここでのＮＣ端子２はブレーク接点（ｂ接点）といわれるＮＣ接点７を具備し、ＮＯ端子３はメーク接点（ａ接点）といわれるＮＯ接点８を具備している。また、ＣＯＭ端子４は、切替接点（ｃ接点）といわれるＣＯＭ接点９を具備したものである。
【００２２】
この時、電磁リレー１が備える端子台６、つまり、電磁コイル部５を具備し、かつ、固定側のＮＣ端子２及びＮＯ端子３と、可動側のＣＯＭ端子４とが組み付けられる端子台６は、図３ａ〜図３ｃでも示すように、電磁コイル部５を具備してＮＣ端子２が組み付けられるＮＣ端子側ボディ１１と、ＮＯ端子３及びＣＯＭ端子４が組み付けられるＣＯＭ端子側ボディ１２とに分割されている。そして、樹脂等を用いて作製されたＮＣ端子側ボディ１１及びＣＯＭ端子側ボディ１２は、ＮＣ端子２のＮＣ接点７とＣＯＭ端子４のＣＯＭ接点９との間の接触圧を調整した後、互いに一体化されるのに伴って端子台６となる。
【００２３】
なお、図３ａ〜図３ｃでは、互いに一体化されて端子台６を構成するＮＣ端子側ボディ１１及びＣＯＭ端子側ボディ１２が水平方向に沿って２分割されているが、このような構造に限定されることはない。すなわち、これらＮＣ端子側ボディ１１及びＣＯＭ端子側ボディ１２の分割方向が、水平以外の方向であってもよいことは勿論である。
【００２４】
さらに、ＮＣ端子側ボディ１１及びＣＯＭ端子側ボディ１２には、図３ｂ及び図３ｃに付記して示すように、互いの対向しあう位置ごとに嵌合用凹部１３を形成しておくことが好ましい。このような構造であれば、シール部材（図示省略）を介して嵌合用凹部１３同士が嵌合しあうのに伴ってＮＣ端子側ボディ１１とＣＯＭ端子側ボディ１２とを一体化することが可能となり、これらを一体化して端子台６を構成することが容易となる。なお、ＮＣ端子側ボディ１１とＣＯＭ端子側ボディ１２とから端子台６を構成するに際しては、これらを一体的に挟持して固定するための枠体等（図示省略）を利用するのが一般的である。
【００２５】
また、図３（ａ）で示すように、ＮＣ端子側ボディ１１及びＣＯＭ端子側ボディ１２のいずれか一方、例えば、ＮＣ端子側ボディ１１の所定位置に嵌合用凹部１１ａを形成し、かつ、その他方、例えば、ＣＯＭ端子側ボディ１２の嵌合用凹部１１ａと対向する所定位置に嵌合用凸部１２ａを形成しておいてもよい。このような構成である場合にも、ＮＣ端子側ボディ１１及びＣＯＭ端子側ボディ１２が嵌合用凸部１２ａと嵌合用凹部１１ａとの嵌合に伴って一体化されるので、端子台６を構成することが容易になる。
【００２６】
すなわち、本実施例に係る構成とされた電磁リレー１では、その電磁コイル部５を構成した電磁コイルに電流が流れる（励磁）と、電磁コイル部５の固定鉄心が電磁石となって可動鉄片１３を吸引し、かつ、リンク機構１４を介してＣＯＭ端子４が移動させられる。そして、ＣＯＭ端子４に連動して移動したＣＯＭ接点９が、ＮＣ端子２のＮＣ接点７またはＮＯ端子３のＮＯ接点８のいずれか一方と接触または離間することにより回路が開閉される。
【００２７】
さらにまた、電磁コイルに流れる電流を遮断する（消磁）と、固定鉄心が電磁石ではなくなる結果、復帰バネ１５の力でもってＣＯＭ端子４は元の位置に復帰する。そこで、電磁リレー１においては、従来例に係る電磁リレー５１と同様の動作が実行される。
【００２８】
ところで、ＮＣ端子側ボディ１１及びＣＯＭ端子側ボディ１２を一体化して端子台６を構成する場合には、図４ａ〜図４ｃで示すような組立用治具、つまり、電磁リレー１の接点同士間における接触圧を調整するのにも利用可能な組立用治具３１が使用される。この組立用治具３１は、電磁リレー１の端子台６と同じく、水平方向に沿って２分割されたものであり、ＮＣ端子側ボディ１１に対応し、これを収納するＮＣ端子側治具３２と、ＣＯＭ端子側ボディ１２に対応し、これを収納するＣＯＭ端子側治具３３とから構成されている。
【００２９】
すなわち、本実施例に係る電磁リレー１を組み立てるに際しては、その組立作業の途中状態を示す図５ａ及び図５ｂのように、まず最初に、組立用治具３１を構成するＮＣ端子側治具３２及びＣＯＭ端子側治具３３を対向させたうえで定盤等（図示省略）に載置し、これらの治具３２，３３で端子台６となるＮＣ端子側ボディ１１及びＣＯＭ端子側ボディ１２を各別に収納する。そして、ＣＯＭ端子側ボディ１２に組み付けられた可動側のＣＯＭ端子４を屈曲させることにより、ＮＣ接点７とＣＯＭ接点９との接触圧が十分となるよう調整する。この時、ＣＯＭ端子４の屈曲先となる方向にＮＣ端子２が存在していないので、ＣＯＭ端子４を屈曲する作業は容易となる。
【００３０】
あるいは、ＮＣ端子側ボディ１２に組み付けられたＮＣ端子２を屈曲することにより、ＮＣ接点７とＣＯＭ接点９との接触圧が十分となるよう調整することを実施する。なお、この場合にあっては、ＮＣ端子２の屈曲に伴って接点ギャップが変化しないよう留意する必要がある。このような屈曲作業であれば、ＮＣ端子２及びＣＯＭ端子４のそれぞれを、他方からの影響を被らない状態下でもって各別に屈曲することが可能となる。
【００３１】
そして、ＮＣ端子２及びＣＯＭ端子４の各々を単独で屈曲させることによりＮＣ接点７及びＣＯＭ接点９間の接触圧を確保した後、図６ａ及び図６ｂで示すように、ＮＣ端子側治具３２とＣＯＭ端子側治具３３とを突き合わせて組立用治具３１を構成する。すると、組立用治具３１を構成するのに応じてＮＣ端子側ボディ１１及びＣＯＭ端子側ボディ１２が連結される結果、これらが一体化されてなる端子台６が構成され、電磁リレー１として完成する。
【図面の簡単な説明】
【００３２】
【図１】本発明の実施例に係る電磁リレーの構造を示す側断面図である。
【図２】（ａ）は、本発明の実施例に係る電磁リレーの組立途中の構造を示す上面図であり、（ｂ）は、本発明の実施例に係る電磁リレーの組立途中の構造を示す側断面図である。
【図３】（ａ）は、本発明の実施例に係る電磁リレーが備える端子台の構造を示す上面図であり、（ｂ）は、本発明の実施例に係る電磁リレーが備える端子台の構造を示す側断面図であり、（ｃ）は、本発明の実施例に係る電磁リレーが備える端子台の構造を示す下面図である。
【図４】（ａ）は、本発明の実施例に係る電磁リレーの組立時に使用される組立用治具の構造を示す上面図であり、（ｂ）は、本発明の実施例に係る電磁リレーの組立時に使用される組立用治具の構造を示す側面図であり、（ｃ）は、本発明の実施例に係る電磁リレーの組立時に使用される組立用治具の構造を示す端面図である。
【図５】（ａ）は、本発明の実施例に係る電磁リレーの組立作業の途中状態を示す上面図であり、（ｂ）は、本発明の実施例に係る電磁リレーの組立作業の途中状態を示す側断面図である。
【図６】（ａ）は、本発明の実施例に係る電磁リレーの組立作業後の状態を示す上面図であり、（ｂ）は、本発明の実施例に係る電磁リレーの組立作業後の状態を示す側断面図である。
【図７】従来例に係る電磁リレーの構造を示す側断面図である。
【図８】（ａ）は、従来例に係る電磁リレーが備える端子台の構造を示す側面図であり、（ｂ）は、従来例に係る電磁リレーが備える端子台の構造を示す下面図である。
【符号の説明】
【００３３】
１    電磁リレー
２    ＮＣ端子
３    ＮＯ端子
４    ＣＯＭ端子
５    電磁コイル部
６    端子台
７    ＮＣ接点
８    ＮＯ接点
９    ＣＯＭ接点
１１    ＮＣ端子側ボディ
１２    ＣＯＭ端子側ボディ
１３    嵌合用凹部
【図１】
2005142065.tif 000003
【図２】
2005142065.tif 000004
【図３】
2005142065.tif 000005
【図４】
2005142065.tif 000006
【図５】
2005142065.tif 000007
【図６】
2005142065.tif 000008
【図７】
2005142065.tif 000009
【図８】
2005142065.tif 000010